(57)【特許請求の範囲】
【請求項１】
容器と中栓、円錐状の注出筒を立設されたキャップとを備えた液注出容器であって、
中栓は、嵌合筒部と栓部とからなり、嵌合筒部の上壁の内周縁から上端に円錐状の栓体を連接した螺旋状のばね板を立設し、
注出筒は、栓体と相似形の円錐面を内面とした筒部と、該筒部の頂部を被うよう設けられた栓体の押圧部材とを具え、
注出筒上部に注出孔を穿孔した注出ノズルを設けていることを特徴とする液注出容器。
【請求項２】
中栓の嵌合筒部が、内周面に容器口部外周のねじに係合するねじを設け、キャップを被嵌可能としていることを特徴とする請求項１記載の液注出容器。
【請求項３】
中栓の嵌合筒部が、内周が容器口部に接合し外周面にねじを螺設した上筒と、中間筒、下筒とからなる外筒とを具え、
中間筒に切込みを穿設した摘み部を形成したことを特徴とする請求項１記載の液注出容器。
【発明の詳細な説明】
【０００１】
【発明の属する技術分野】
本発明は、液注出容器、とくに注出筒を立設したキャップを具えた液注出容器に関する。
【０００２】
【従来の技術】
醤油、酢、ソース等の調味料の液注出容器において、容器口部に注出筒を有するキャップを螺着するようにした液注出容器は、従来より一般に用いられている。
【０００３】
【発明が解決しようとする課題】
しかしながら、従来の容器は、注出するために容器を傾け、注出を止めるときには容器の傾きを直立または一定角度に戻していたので、注出を直ちに止めることはできなかった。
また、誤って容器を倒したときには、内容液が注出孔から洩れだし、周辺を汚すという問題があった。
【０００４】
本発明は、上記の問題を解決することを課題として、注出孔を開閉する手段を設け、内容液の注出を、容器を傾けるとともに注出孔を開閉することによって行うようにした液注出容器を提供することを目的とする。
【０００５】
【課題を解決するための手段】
本発明は、上記の課題を解決するため、液注出容器として、容器と中栓、円錐状の注出筒を立設されたキャップとを備えた液注出容器であって、中栓は、嵌合筒部と栓部とからなり、嵌合筒部の上壁の内周縁から上端に円錐状の栓体を連接した螺旋状のばね板を立設し、注出筒は、栓体と相似形の円錐面を内面とした筒部と、該筒部の頂部を被うよう設けられた栓体の押圧部材とを具え、注出筒上部に注出孔を穿孔した注出ノズルを設けていることを特徴とする構成を採用する。
【０００６】
中栓嵌合筒部の実施態様として、中栓の嵌合筒部が、内周面に容器口部外周のねじに係合するねじを設け、キャップを被嵌可能としていることを特徴とする構成、または、中栓の嵌合筒部が、内周が容器口部に接合し外周面にねじを螺設した上筒と、中間筒、下筒とからなる外筒とを具え、中間筒に切込みを穿設した摘み部を形成したことを特徴とする構成を採用する。
【０００７】
【発明の実施の形態】
次に、本発明の実施形態について、図面を参照して説明する。
図１，２において、Ａは容器、Ｂは中栓、Ｃはキャップである。
容器Ａの口部１外周には、ねじ２が螺設され、その下方にネックリングが設けられている。
【０００８】
図１、３に示すように、中栓Ｂは、嵌合筒部３と栓部４とを具えている。
嵌合筒部３は、外筒５と上壁６、上壁６の内周縁に沿って垂設され、容器Ａの口部１内周に嵌合する内筒７とを具え、外筒５の内周には、ねじ２に螺合するねじ８が螺設されており、外筒５の外周には、係合溝９が刻設されている。
外筒５の下端には、フランジ１０が突設され、フランジ１０の外周縁には、側筒１１が垂設されている。
【０００９】
栓部４は、上壁６の内周縁に沿って連設され、円錐面に接して螺旋状に延びるばね板１２と、ばね板１２の先端に連設された栓体１３とを具えている。
栓体１３は、円錐筒の周壁１４と頂壁１５とからなり、頂壁１５には、上壁１６を具えた有頂の操作筒１７が立設されている。
【００１０】
図４に示すように、キャップＣは、外筒２０と環状の上壁２１、上壁２１内周縁より立設された注出筒２２とを具えている。
外筒２０の下端内周には、中栓Ｂの係合溝９に係合する膨出環２３が設けられ、下端は中栓Ｂのフランジ１０に接合するようになっている。
注出筒２２は、円錐状の筒部２４と該筒部２４の頂壁を形成する薄肉のドーム部２５とからなっており、筒部２４の上端近くには注出孔２６を穿孔した注出ノズル２７が突設され、その反対側には空気導入孔２８が穿孔されている。
【００１１】
液注出容器の組立にあたっては、まず、中栓Ｂが容器Ａの口部１に螺合され、次いで、キャップＣが中栓Ｂの外筒５に被嵌される。
その際、キャップＣの膨出環２３が中栓Ｂの係合溝９に係合して、キャップＣの上壁２１が上壁６に接合させる。
そして、注出筒２２が、螺旋状のばね板１２を締め付けて、栓体１３の周壁１４が注出筒２２の筒部２４上端に接合して注出孔２６を閉鎖する。
【００１２】
次に、本発明液注出容器の使用態様と作用効果について説明する。
図５に示すように、内容液の注出にあたっては、容器Ａを傾け、薄肉のドーム部２５を押圧すると、操作筒１７が押下げられ、螺旋状ばね板１２が圧縮変形して栓体１３が押下げられる。
その際、周壁１４は円錐筒であるので、栓体１３とキャップＣの筒部２４上端との接合が解かれ、その間に流路ａが形成され、注出ノズル２７より注出させることができる。
【００１３】
注出中にドーム部２５から手を離すと、栓体１３の周壁１４はキャップＣの筒部２４内周面に接合し、流路ａを閉じ、注出ノズル２７の注出孔２６を閉鎖する。
注出はドーム部２５の押圧と容器Ａを傾けることによって行われるが、ドーム部２５の押圧量を調節することによって、流路ａの広さを変え注出量を調節することができ、押圧と開放を繰り返し行うことによって少量ずつ注出することができる。
また、ドーム部２５から手指を離すことによって注出を急に止めることができる。
【００１４】
次に、本発明の第２実施形態について説明する。
本実施形態は、中栓を容器に打栓により嵌合したものである。
図６において、Ａａは容器、Ｂａは中栓、Ｃａはキャップである。
【００１５】
容器Ａａの口部３０外周中間には、係合突条３１が突設され、その下方にネックリングが設けられている。
【００１６】
図６，７に示すように、中栓Ｂａは、嵌合筒部３２と栓部３３とからなっている。
嵌合筒部３２は、外筒３４と上壁３５、容器Ａａの口部３０内周に嵌合する内筒３６とからなっており、外筒３４は、上筒３７と、該上筒３７より拡径された中間筒３８と、さらに拡径された下筒３９とからなっている。
上筒３７の内周は、容器Ａａの口部３０外周に接合し、外周にはねじ４０が螺設されており、中間筒３８には、係合突条３１の下側に係合する係合突条４１が設けられている。
【００１７】
中間筒３８の上下の拡径段部４２，４３には、切込み４４，４５が刻設されており、該切込み４４，４５の一方の端部は、円弧状の切込み４６によって接続されている。
三つの切込み４４，４５，４６によって囲まれた部分は、摘み部４７となっており、摘み部４７の両端部分では、係合突条４１は切断され切欠け部となっている。
下筒３９は、ネックリングを包むようになっている。
【００１８】
栓部３３は、上壁３５の内周縁に沿って連設され、円錐面に接して螺旋状に延びるばね板４８とばね板４８の先端に連設された栓体４９とからなっている。
栓体４９は、円錐状の周壁５０と頂壁５１とからなり、頂壁５１には有頂の操作筒５２が立設されている。
【００１９】
図８に示すように、キャップＣａは、外筒６０と環状の上壁６１、上壁６１の内周縁に沿って立設された注出筒６２とからなっている。
外筒６０の内周には、中栓Ｂａの上筒３７外周のねじ４０に螺合するねじ６３が螺設されており、その下方の内周は中間筒３８に接合するようになっている。注出筒６２は、円錐状の筒部６４と該筒部６４の頂壁を形成する薄肉のドーム部６５とからなっており、筒部６４の上端近くには注出孔６６を穿孔した注出ノズル６７が突設され、その反対側には空気導入孔６８が穿孔されている。
【００２０】
液注出容器の組立にあたっては、まず、中栓Ｂａは容器Ａａに打栓され、次いで、キャップＣａが中栓Ｂａに螺合される。
その際、キャップＣａの上壁６１が中栓Ｂａの上壁３５に接合し、注出筒６２の円錐状の筒部６４が、栓体４９の周壁５０と螺旋状のばね板４８に接合して締め付けることになり、栓体４９が注出ノズル６７の注出孔６６を閉鎖する。
【００２１】
次に、本実施形態液注出容器の使用態様と作用効果について説明する。
内容液の注出にあたっては、前記第１実施形態と同様に容器Ａａを傾け、薄肉のドーム部６５を押圧すると、操作筒５２が押下げられ、螺旋状のばね板４８が圧縮変形して栓体４９が押下げられる。
その際、周壁５０は円錐状であるので、栓体４９とキャップＣａの筒部６４との接合が解かれ、その間に流路が形成され、注出ノズル６７の注出孔６６から内容液を注出させることができる。
【００２２】
注出中にドーム部６５から手を離すと、中栓Ｂａの栓体４９の周壁５０はキャップＣａの筒部６４内周面に接合し、流路を閉じ、注出ノズル６７の注出孔６６を閉鎖する。
注出はドーム部６５の押圧と容器Ａａを傾けることによって行われるが、ドーム部６５の押圧量を調節することによって、流路の広さを変え注出量を調節することができ、押圧と開放を繰り返し行うことによって少量ずつ注出することができる。
また、ドーム部６５から手指を離すことによって注出を急に止めることができる。
【００２３】
使用後の容器Ａａの廃棄に際しては、キャップＣａの螺合を解き、次に、切込み４４に刃体を差し込み、摘み部４７を外方に引き出して引き廻すと、容器Ａａの係合突条３１と中栓Ｂａの係合突条４１との係合を解き、中栓Ｂａを取り外すことができる。
【００２４】
前記各実施形態では、注出筒の頂壁を薄肉のドーム部としたが、栓体の操作筒を押圧できるようにした薄肉の平板状頂壁であってもよい。
また、筒部とは別体として、軟材質のドーム状上壁、または平板を具えた押圧部材を、筒部頂部に取着するようにしてもよい。
【００２５】
また、前記各実施形態では、ばね部材として円錐面に接して螺旋状に延びるばね板を用いたが、嵌合筒部の上壁と、栓体との間にコイルばねを弾装するようにしてもよい。
【００２６】
【発明の効果】
本発明は、上記のように構成されているから、次の効果を奏する。
キャップに円弧状の筒部と薄肉のドーム部とからなる注出ノズルを突設した注出筒を立設し、中栓に螺旋状のばね板と円錐状の栓体を設け、ドーム部を押圧することによって注出孔を開閉するようにしたから、内容物の注出量の調節と、注出停止を適時にできるようになった。
【００２７】
打栓式中栓を用いた場合には、中栓嵌合筒部の外筒に切込みを入れ、摘み部を設けたから、摘み部をもって引き廻すことによって中栓を容器の口部から容易に取り外すことができる。
【図面の簡単な説明】
【図１】本発明第１実施形態の液注出容器の断面正面図である。
【図２】液注出容器の斜視図である。
【図３】中栓の説明図である。
【図４】キャップの説明図である。
【図５】  注出時の説明図である。
【図６】  第２実施形態の液注出容器の断面正面図である。
【図７】  中栓の説明図である。
【図８】  キャップの説明図である。
【符号の説明】
Ａ、Ａａ    容器
Ｂ、Ｂａ    中栓
Ｃ、Ｃａ    キャップ
ａ          流路
１、３０    口部
２          ねじ
３、３２    嵌合筒部
４、３３    栓部
５、３４    外筒
６、３５    上壁
７、３６    内筒
１２、４８  ばね板
１３、４９  栓体
１４、５０  周壁
１５、５１  頂壁
１６        上壁
１７、５２  操作筒
２４、６４  筒部
２５、６５  ドーム部
２６、６６  注出孔
２７、６７  注出ノズル
２８、６８  空気導入孔
３１        係合突条
４２、４３  拡径段部
４４、４５、４６  切込み
４７        摘み部
【図１】
0004080211.tif 000002
【図２】
0004080211.tif 000003
【図３】
0004080211.tif 000004
【図４】
0004080211.tif 000005
【図５】
0004080211.tif 000006
【図６】
0004080211.tif 000007
【図７】
0004080211.tif 000008
【図８】
0004080211.tif 000009